(57)【要約】【課題】  部品搭載の制限を緩和するレバー機構および格納完了を自動的に認識して格納表示する機構を提供する。【解決手段】  レバー２０１は、レバーに設けた溝２０２において電子パッケージ１に設けた突起部１０１を挟込む。この突起部１０１には、レ字形の貫通溝１００が形成され、レバー回転軸３０１は、電子パッケージ１の挿抜の各操作に対応して突起部１０１の貫通溝１００を移動する。電子パッケージ１を棚状格納部に挿入操作する時には、レバーの回転軸３０１を貫通溝１００の終端部１０３に移動させ、電子パッケージ１が正常に格納された時には、回転軸３０１は貫通溝１００の終端部１０５に配置される。電子パッケージ１が正常に格納された時にはレバーは電子パッケージ１の突起部１０１に収納される。【選択図】  図１
2007180590.tif 000002
【特許請求の範囲】
【請求項１】
直方体もしくは板状の部品を、前記部品を格納する目的で用意された筐体内の棚状格納部あるいは前記部品が格納できるように開けられた穴に収容する電子装置であって、
前記部品が前記棚状格納部あるいは前記穴へ格納された状態において、前記部品を挿抜する為に前記部品の隅縁部に配置されたレバーの所定の部位と接触する位置に配置され、前記レバーと接触しているか否かを判定する格納判定部と、
前記格納判定部の判定結果を認識し、前記部品の起動処理または閉塞処理を実行する管理部と、
前記起動処理または閉塞処理の処理中および処理完了を表示する表示部とを有することを特徴とする電子装置。
【請求項２】
請求項１記載の電子装置であって、
前記格納判定部は、前記部品の両端の隅縁部に配置されたレバーの所定の部位と接触する位置にそれぞれ配置され、
前記管理部は、前記それぞれ配置される格納判定部の両方が、前記レバーと接触しているか否かを認識することを特徴とする。
【発明の詳細な説明】
【技術分野】
【０００１】
本発明は、直方体もしくは板状の部品を格納する目的で用意された筐体内の棚状格納部あるいは該部品が格納できるように開けられた穴へ平行に挿抜する際に使用される部品の隅縁部に配置されるレバー機構に関する。
【背景技術】
【０００２】
情報処理や通信の分野において使用される電子装置では、様々な要求に応えるために処理能力の増大化や多機能化が要求され、電子装置に格納される電子回路パッケージについても、パッケージへの多様なアクセスが必要となってきており、これに対応する種々の部品を電子回路パッケージの外縁部へ搭載する必要がある。
【０００３】
【特許文献１】特開平６−２９６７８号公報
【発明の開示】
【発明が解決しようとする課題】
【０００４】
複数の電子回路パッケージにより代表される直方体もしくは板状の部品を格納する電子装置においては、部品の隅縁部に配置されたレバー機構の操作により、部品を装置内に格納させる。部品を挿抜する際に使用される従来のレバー機構では、レバーの回転領域が、部品のレバーが配置される外縁部への部品搭載を制限する為、部品の幅方向への寸法の増大を余儀なくされるという問題がある。
【０００５】
このレバー長による部品搭載の制限を緩和するため、例えば特許文献１には、電子回路パッケージのレバー操作時にレバー長を長くする機構を備えることが開示されている。しかし、この方法ではレバーを伸縮させるための機構が必要となり部品点数の増加を招くことになる。
【０００６】
また、部品を電子装置に機械的に正常に格納する操作の完了時はは、従来、レバー操作による部品の格納処理後、別に設けた確認スイッチを人手によりオン・オフすることにより、あるいは格納処理用端末から入力して、格納完了の指示を行っていたため、スイッチ操作等の漏れにより該部品の格納完了と完了表示に不整合が生じる可能性があった。
【０００７】
本発明の目的は、前記した従来技術の部品搭載の制限に係わる問題点と部品の格納完了表示に関する問題を解決するための新規なレバー機構を提供することにある。
【課題を解決するための手段】
【０００８】
前記した目的は、
（１）直方体もしくは板状の部品の隅縁部に配置され、部品を装置内の棚状格納部あるいは該部品が格納できるように開けられた穴へ挿抜する際に使用されるレバー機構であって、部品の棚状格納部あるいは部品が格納できるように開けられた穴への挿入、格納保持、そして抜取りのそれぞれの操作時に、レバーの回転軸を部品の縁部に形成されたレ字形あるいはL字形貫通溝内の端部の異なる位置へ移動させ、部品挿抜操作においてはレバーを回転させ、格納保持時にはレバーを部品内に収納保持させる機構を採用すること、
（２）また、レバーの移動により、部品の格納保持表示及び装置内部に設けた回路上の処理指示に繋がる格納保持判定部を自動的にオン・オフする機構を採用することにより達成される。
【発明の効果】
【０００９】
本発明によれば、電子パッケージの格納保持時にレバーが電子パッケージ部に収納され、レバーが電子パッケージのレバー配置側縁端の空間に対する障害とならなくなることから、両レバーの間隔を狭めることができ、電子パッケージ幅方向の寸法を従来に比べ小さくすることができる。あるいは、両レバーの間隔をそのままとして当該部分への部品実装可能面積が広がり、従来に比べ多くの部品搭載が可能となる。また本発明では、レバーの伸縮機構が無いため、レバーを構成する部品点数を減らすことができる。
【００１０】
また、電子パッケージを完全に格納した状態の時のみに、レバーが格納判定のためのスイッチを自動的に押すようにしたことにより、従来、別途設けていた格納完了スイッチを操作する必要が無くなり、電子パッケージの挿抜に係わる電気回路上の誤動作を防ぐことができる。
【発明を実施するための最良の形態】
【００１１】
以下、本発明の一実施形態について図面を用いて詳細に説明する。
【００１２】
はじめに一実施形態におけるレバー機構について説明する。
【００１３】
図８は装置に設けられた棚状格納部あるいは部品が格納できるように開けられた穴へ１個以上の直方体もしくは板状の部品を挿抜する際の概念図を示す。以下、部品として電子パッケージを用いる場合について説明する。
【００１４】
図１は、電子パッケージ１の隅縁部に配置されるレバー部の分解斜視図を示す。
【００１５】
レバー２０１は、レバーに設けた溝２０２において電子パッケージ１に設けた突起部１０１を挟込む。この突起部１０１には、レ字形の貫通溝１００が形成され、レバー回転軸３０１をレバーの穴２０３と貫通溝１００に通す。
【００１６】
レバー回転軸３０１は、電子パッケージ１の挿抜、格納保持の各操作に対応して突起部１０１の貫通溝１００を移動することができる。電子パッケージ１を棚状格納部に挿入操作する時には、レバーの回転軸３０１を貫通溝１００の終端部１０３に移動させ、電子パッケージ１が正常に格納された時には、回転軸３０１は貫通溝１００の終端部１０５に配置される。電子パッケージ１が正常に格納された時にはレバーは電子パッケージ１の突起部１０１に収納される。さらに電子パッケージ１を棚状格納部から抜取り操作する時には、回転軸３０１を貫通溝１００の端部１０４に移動させる。
【００１７】
電子パッケージ１の挿抜操作時には、レバーのあご部２０４を装置側の格納支点部（図示せず）に噛ませ、あご部の端２０６あるいは２０７を格納支点部に当て、レバーの側面２０８あるいは２０９を押してレバーを回転させ、電子パッケージ１に挿抜力を付与する。
【００１８】
なお、電子パッケージ１が正常に格納された時には、レバー２０１に設けられた穴２０５を突起部１０１の表面に設けられた凸部１０２と重ねることでレバーは移動しないよう半固定される。
【００１９】
図２に電子パッケージ１の電子装置への格納開始状態の片側を示す。実際には、電子パッケージ１の左右対称な位置関係にある他の隅縁に、レバー配設用の突起部ならびにレバーが配置される。
【００２０】
レバー配設用の突起部１０１を有する電子パッケージ１は、電子装置の筐体４０１の内部に設けた棚状のガイド４０２に沿って、人手で装置内に押込まれる。そして装置側コネクタ８０１に電子パッケージ１側端子８０２を嵌合する際には、レバー２０１の梃子の作用により、電子パッケージ１の端子８０２が装置側コネクタ８０１に完全に押込まれる。
【００２１】
図３により、電子パッケージ１の装置内の棚状格納部あるいは電子パッケージが格納できるように開けられた穴への挿入手順とレバーの操作について説明する。ここでは、電子パッケージ１は図面の上方向へ移動させられて格納される。
【００２２】
まず電子パッケージ１を装置の装置内の棚状格納部あるいは電子パッケージが格納できるように開けられた穴のガイド４０２に沿って挿入する（図３a）。
【００２３】
その後、レバーの回転軸３０１が貫通溝１００の終端１０３の位置にくるようレバーを移動させ、レバーのあご部２０４の端部２０６を装置格納部の支点部内面６０１に当て、レバー端面２０８を押し、レバーを反時計方向に回転させて、電子パッケージ１を上方向に移動させる（図３ｂ）。
【００２４】
さらにレバーを回転させ、電子パッケージ１の端子８０２を装置側コネクタ８０１に挿入する（図３ｃ）。
【００２５】
その後、レバー２０１を時計方向に戻してあご部２０４の端部２０６を装置格納支点６０１から離す（図３ｄ）。
【００２６】
そして、レバー回転軸３０１が貫通溝１００の端部１０４を経て終端部１０５にくるようレバーを移動し、突起部１０１の表面に設けた凸部１０２にレバーの穴２０５を重ね、レバーを電子パッケージ１の突起部１０１に収納させて半固定状態とする（図３e）。
【００２７】
以上により、電子パッケージ１が装置内の棚状格納部あるいは電子パッケージが格納できるように開けられた穴に完全に格納される。
【００２８】
次に、図４により電子パッケージ１の装置内の棚状格納部あるいは電子パッケージが格納できるように開けられた穴からの抜取り手順とレバーの操作について説明する。ここでは、電子パッケージ１は、図面の下方向へ移動させられて抜取られる。
【００２９】
まず、レバー回転軸３０１が貫通溝１００の端部１０４にくるようにレバーを移動する（図４a）。
【００３０】
その後、レバーのあご部２０４の端部２０７を装置格納部の支点部外面６０２に当てる（図４ｂ）。
【００３１】
そして、レバー端面２０９を押してレバーを時計方向の回転させ、電子パッケージ１を下方向に移動させ、電子パッケージ１の端子８０２を装置側コネクタ８０１から抜取る（図４ｃ）。
【００３２】
その後、装置の棚状格納部あるいは電子パッケージが格納できるように開けられた穴のガイド４０２に沿って、電子パッケージ１を装置から抜取る（図４ｄ）。
【００３３】
以上により、電子パッケージ１が装置から抜き取られる。
【００３４】
続いて、装置内での電子パッケージ１の格納表示について説明する。
【００３５】
図５に、電子パッケージ１の装置内における格納表示のための回路構成の概要を示す。電子パッケージ１の両端に上述したレバー部２０１が配置され、また、両レバーに対応して棚状格納部に格納判定部７０１が配置される。この格納判定部は、例えばレバーが起動部に接触した時にオン、起動部から離れた時にオフとなるような機構を有するスイッチである。
【００３６】
格納判定部７０１は格納判断部７０２に電気的に接続される。格納判断部７０２は、各格納判定部７０１のオン・オフ結果の論理和をとる。その結果が真、即ち両方の格納判定部７０１がオンの場合、電子パッケージ１の挿入が完了したことを装置管理部４２０が認識し、電子パッケージ１が機械的に正常に挿入されていることを表示部４１０に表示させる。
【００３７】
図６を用いて、レバーと格納判定部との関係について説明する。なお、レバーの操作と移動による電子パッケージ１の挿抜の手順については、ここでは省略する。図６は、電子パッケージ１が装置の棚状格納部に完全に格納された状態を示す。この時、レバー２０１の回転軸３０１は電子パッケージ１がもつ突起部１０１の貫通溝１００の終端部１０５にあり、レバーは突起部表面の凸部１０２により半固定されている。
【００３８】
格納判定部７０１は、電子パッケージ１が格納された状態でレバー２０１に接するように装置の棚状格納部に配置され、この時、格納判定部７０１はスイッチオンの状態となる。電子パッケージ１の両端のレバーが格納完了の状態にあり、両格納判定部７０１がスイッチオンの状態の時に格納表示が表示部４１０に表示されるとともに、装置管理部４２０は、電子回路の動作起動処理を自動的に始め、動作状態の表示が表示部４１０になされる。もし何らかの原因で、電子パッケージ１が完全に格納されず、少なくとも一方の格納判定部７０１がレバーと接しないでスイッチオフの状態の場合には、格納表示がされず、電子パッケージ１の挿入状態の視認が行われることになる。
【００３９】
また、電子パッケージを抜取る時には、回転軸３０１がパケージ突起部１０１の貫通溝１００の端部１０４方向へ移動し、レバーがスイッチから離れる為、格納判定部７０１はスイッチオフの状態となり、格納表示が消えるとともに、装置管理部４２０は、電子パッケージの閉塞処理を自動的に行なう。この閉塞処理状態も装置管理部４２０により表示部４１０に表示される。閉塞処理が完了してその完了表示がなされた後で、レバー操作による電子パッケージ１の抜取り処理が行われることになる。
【００４０】
図７に、上記したレバー操作による電子パッケージの挿抜と格納表示の為の回路動作のシーケンスを示す。本実施形態によれば、レバー操作により電子パッケージの格納判断を装置自身に自動的に行なわせることができる為、電子装置自体を稼動させながら、必要に応じて電子パッケージの挿抜処理ができるようになる。
【図面の簡単な説明】
【００４１】
【図１】一実施形態におけるレバー部の分解斜視図。
【図２】電子パッケージの格納開始状態を示す図。
【図３】電子パッケージを挿入する際のレバー操作の手順を示す図。
【図４】電子パッケージを抜取る際のレバー操作の手順を示す図。
【図５】電子パッケージの格納表示のための回路構成の概要図。
【図６】格納判定部とレバー部の位置関係を示す図。
【図７】電子パッケージの挿抜時における格納表示の為の回路動作のシーケンスを示す図。
【図８】装置に対して部品を挿抜する際の概念図。
【符号の説明】
【００４２】
１・・・・・・部品
１００・・・・貫通溝
１０１・・・・部品のレバー配置用突起部
１０２・・・・凸部
１０３・・・・部品挿入時のレバー回転軸の貫通溝内位置
１０４・・・・部品抜取り時のレバー回転軸の貫通溝内位置
１０５・・・・部品格納保持時のレバー回転軸の貫通溝内位置
２０１・・・・レバー
２０２・・・・レバーの部品突起部へのかみ合わせ溝
２０３・・・・軸を通すための穴
２０４・・・・あご部
２０５・・・・凸部と重なるレバー仮固定用穴
２０６・・・・部品挿入時のあご部端部
２０７・・・・部品抜取り時のあご部端部
２０８・・・・部品挿入時の力点となる端面
２０９・・・・部品抜取り時の力点となる端面
３０１・・・・軸
４０１・・・・電子装置の筐体
４０２・・・・部品挿抜用ガイド
４１０・・・・表示部
４２０・・・・装置管理部
６０１・・・・部品挿入時にあご部端部が接する筐体の内面
６０２・・・・部品抜取り時にあご部端部が接する筐体の外面
７０１・・・・部品の格納保持判定部（スイッチ）
７０２・・・・格納保持判断部
８０１・・・・電子装置側のコネクタ    
８０２・・・・部品の端子
【図１】
2007180590.tif 000003
【図２】
2007180590.tif 000004
【図３】
2007180590.tif 000005
【図４】
2007180590.tif 000006
【図５】
2007180590.tif 000007
【図６】
2007180590.tif 000008
【図７】
2007180590.tif 000009
【図８】
2007180590.tif 000010